(57)【要約】【課題】コーディネートの提案のための、顧客個人に依存する付加情報の入力、及び、専門家によるコーディネートの作成を不要にする。また、顧客のファッションセンスに依存せずにコーディネートを提案する。【解決手段】アイテム情報をデータベースに保持し、アイテムの組合せがコーディネートとして許容されるか否かを表す組合せパターン情報を保持し、組合せパターン情報に基づいてデータベースに保持されたアイテムを検索して、コーディネートを抽出する。【選択図】図１
2010182051.tif 000002
【特許請求の範囲】
【請求項１】
アイテム情報をデータベースに保持し、アイテムの組合せがコーディネートとして許容されるか否かを表す１または２以上の組合せパターン情報を保持し、前記組合せパターン情報に基づいて前記データベースに保持されたアイテムの組合せであるコーディネートを抽出するコーディネート抽出手段を有することを特徴とする、コーディネート提案システム。
【請求項２】
前記組合せパターン情報として、シルエット組合せパターン情報、カラー組合せパターン情報、襟組合せパターン情報及び袖組合せパターン情報の少なくとも１つを保持し、
前記コーディネート抽出手段は、すべての保持された組合せパターン情報に基づいて許容されるようなコーディネートのみを抽出することを特徴とする、請求項１に記載のコーディネート提案システム。
【請求項３】
前記組合せパターン情報として、シルエット組合せパターン情報、カラー組合せパターン情報、襟組合せパターン情報及び袖組合せパターン情報をすべて保持し、
前記コーディネート抽出手段は、シルエット組合せパターン情報、カラー組合せパターン情報、襟組合せパターン情報及び袖組合せパターン情報を含むすべての組合せパターン情報に基づいて許容されるようなコーディネートのみを抽出することを特徴とする、請求項１または請求項２に記載のコーディネート提案システム。
【請求項４】
前記組合せパターン情報はカテゴリを含み、
前記コーディネート抽出手段は、シルエット組合せパターン情報、カラー組合せパターン情報、襟組合せパターン情報及び袖組合せパターン情報を含むすべての組合せパターン情報に基づいて許容され、かつ、同一のカテゴリを与えられるようなコーディネートのみを抽出することを特徴とする、請求項３に記載のコーディネート提案システム。
【請求項５】
ユーザがアイテムをその属性によって限定するアイテム限定手段を有し、
前記コーディネート抽出手段は、限定されたアイテムのみを含むようなコーディネートを抽出することを特徴とする、請求項１〜４のいずれか１項に記載のコーディネート提案システム。
【請求項６】
ユーザが１または２以上のアイテムを選択するアイテム選択手段を有し、
前記コーディネート抽出手段は、選択されたアイテムの全てを含むようなコーディネートのみを抽出することを特徴とする、請求項１〜５のいずれか１項に記載のコーディネート提案システム。
【請求項７】
データベースに保持されたアイテムについて、ユーザが前記アイテム選択手段によってそのアイテムを選択した場合のコーディネートを抽出した結果をアイテム別コーディネートリストとして保持し、
前記コーディネート抽出手段は、前記アイテム別コーディネートリストを参照してコーディネートを抽出することを特徴とする、請求項６に記載のコーディネート提案システム。
【請求項８】
前記組合せパターン情報のうちの少なくとも１つは付加情報を含み、
ユーザが付加情報を指定する付加情報指定手段を有し、
前記コーディネート抽出手段は、いずれかの組合せパターン情報に基づいて与えられる付加情報の全てが前記付加情報指定手段によって指定された付加情報と整合するようなコーディネートのみを抽出することを特徴とする、請求項１〜７のいずれか１項に記載のコーディネート提案システム。
【請求項９】
前記コーディネート抽出手段によって抽出されたコーディネートをユーザに提示するコーディネート提示手段を有することを特徴とする、請求項１〜８のいずれか１項に記載のコーディネート提案システム。
【請求項１０】
前記コーディネート提示手段は、コーディネートに含まれる各アイテムの画像を画面に表示することを特徴とする、請求項９に記載のコーディネート提案システム。
【請求項１１】
前記コーディネート提示手段は、コーディネートに含まれる各アイテムの画像を合成してコーディネートに含まれる全アイテムを同時に着用した状態の画像を画面に表示することを特徴とする、請求項９に記載のコーディネート提案システム。
【請求項１２】
前記組合せパターン情報のうちの少なくとも１つは優先度を含み、
前記コーディネート抽出手段は、各々の組合せパターン情報によって与えられる優先度に基づいて総合優先度を計算し、
前記コーディネート提示手段は、総合優先度の順にコーディネートを提示することを特徴とする、請求項９〜１１のいずれか１項に記載のコーディネート提案システム。
【請求項１３】
前記データベース及び前記組合せパターン情報をサーバに備え、前記コーディネート提示手段は該サーバとインターネットを経由して接続されたクライアントの画面上にコーディネートを提示することを特徴とする、請求項９〜１２のいずれか１項に記載のコーディネート提案システム。
【請求項１４】
前記アイテム情報はそのアイテムが店舗に在庫されているか否かを表す在庫情報を含み、
前記コーディネート抽出手段は、在庫のあるアイテムのみから構成されるようなコーディネートのみを抽出することを特徴とする、請求項１〜１３のいずれか１項に記載のコーディネート提案システム。
【発明の詳細な説明】
【技術分野】
【０００１】
本発明は、服飾品を組合せるファッション・コーディネートを提案するシステムに関するものである。
【背景技術】
【０００２】
従来、ファッション・コーディネートを提案するシステムとしては、アイテムの画像データを合成して（必要に応じて人体の画像を含めて合成して）表示し、顧客が判断して選択するシステムが知られていた。例えば、特許文献１には、ユーザが購入を検討するアイテムを指定し、自らの体形の情報を合わせて入力すると、人体の画像とアイテムの画像を合成してアイテムを着用した状態を表示するシステムが開示ざれている。
しかし、このシステムでは、いずれのアイテムを選択するかの判断が顧客に委ねられており、結果的には、コーディネートが顧客自身のファッションセンスに依存してしまう。したがって、必ずしも良いコーディネートが得られることが保証されたものではない。
【０００３】
これに対し、顧客によるアイテムの選択がなくとも、顧客の個人情報、顧客の好みの色、服を使用する状況等の付加情報を入力すると、入力された付加情報をキーとしてアイテムの情報が保持されたデータベースを検索することによりコーディネートを得るシステムが提案されていた。例えば、特許文献２には着用時の気象情報等を付加情報として用いるシステムが、特許文献３には顧客に似合う色であるパーソナルカラーを付加情報として用いるシステムが、開示されている。これらのシステムによれば、システムが予め保持している良いコーディネートから、入力された付加情報に合致するものを出力するので、良いコーディネートを得ることができる。
しかし、これらのシステムにおいては、顧客が付加情報を入力することがシステムの動作のために必須であり、この入力にかかる顧客の手間、さらに個人情報の場合には顧客の心理的抵抗がある。
また、付加情報は、それのみによってコーディネートを決定できるものではない。コーディネートは、組合せる服飾品の種類、カラー（色）、襟の形状、袖の形状を考慮しなければ良いものとなり得ない。これらのシステムは、良いコーディネートを予め保持しており、そこから選択されたものを提案するものである。この方法では、新たな服飾品が販売される場合には、その服飾品を含むようなコーディネートがシステムに保持されておらず、かかるコーディネートを提示するためには、専門家によるコーディネートの作成が必要である。
さらに、顧客個人に依存する付加情報の入力が必須であるため、店舗がこのシステムを使用して多くの顧客に受け入れられるであろうコーディネートを導出することは困難である。
【先行技術文献】
【特許文献】
【０００４】
【特許文献１】特開２００２−３７３２６６号公報
【特許文献２】特開２００２−２１５７７０号公報
【特許文献３】特開２００６−０８９８８３号公報
【発明の概要】
【発明が解決しようとする課題】
【０００５】
解決しようとする問題点は、コーディネートの提案のために、顧客個人に依存する付加情報の入力、及び、専門家によるコーディネートの作成が必要とされる点である。合わせて解決しようとする問題点は、顧客によるアイテムの選択を通じてコーディネートの選択が顧客のファッションセンスに依存してしまう点である。
【課題を解決するための手段】
【０００６】
本発明のコーディネート提案システムは、
アイテム情報をデータベースに保持し、アイテムの組合せがコーディネートとして許容されるか否かを表す１または２以上の組合せパターン情報を保持し、前記組合せパターン情報に基づいて前記データベースに保持されたアイテムの組合せであるコーディネートを抽出するコーディネート抽出手段を有することを特徴とする。
ここで、「アイテム情報」とは、ジャケット、スカート、ブラウス等の単品の服飾品（アイテム）についての情報を言う。アイテム情報としては、アウター（ジャケット、セーター等）、トップス（ブラウス、シャツ等）及びボトムス（スカート、ホットパンツ等）に大分類されてさらに細分類された「アイテム分類」、アイテムの色を表す「カラー」、アイテムの襟の形状、アイテムの袖の形状の情報を含むことができる。さらに、「ＯＬ」などのそのアイテムの使用者層、「ガーリー」などのそのアイテムを使用した際に与える印象、その他のアイテムの特徴を「カテゴリ」として含んでもよい。同じカテゴリのアイテムの組合せが良いコーディネートを構成する可能性が高く、異なるカテゴリのアイテムの組合せが良いコーディネートを構成する可能性が低い。
なお、コーディネートは、通常、アウター、トップス、ボトムスのそれぞれ１つのアイテムの組合せである。
また、「組合せパターン情報」とは、アウター、トップス及びボトムスのアイテムの組合せについて、アイテム情報に含まれるデータに基づいて、その組合せがコーディネートとして許容されるか否かを示す情報を言う。組合せパターン情報は、典型的には、許容されるコーディネートを構成するような組合せのリストである。組合せパターン情報には、コーディネートの良し悪しを表す「優先度」の情報、及び、そのコーディネートについての適応年齢、適応背丈、適応体型等の付加情報を付与することができる。
この特徴により、本発明のコーディネート提案システムは、組合せパターン情報に基づいてアイテム情報からアイテムを選択してコーディネートを構成することができる。顧客個人に依存する付加情報の入力、及び、専門家によるコーディネートの作成は必要としない。また、顧客によるアイテムの選択を通じてコーディネートの選択が顧客のファッションセンスに依存することもない。
【０００７】
本発明のコーディネート提案システムは、上記の特徴によって課題を解決する。これに加えて、さらに、以下の特徴により付加的な効果を得ることができる。
【０００８】
本発明のコーディネート提案システムは、
組合せパターン情報として、シルエット組合せパターン情報、カラー組合せパターン情報、襟組合せパターン情報及び袖組合せパターン情報の少なくとも１つを保持し（すべてを保持することもある）、
コーディネート抽出手段は、すべての保持された組合せパターン情報に基づいて許容されるようなコーディネートのみを抽出することを特徴とすることができる。
ここで、「シルエット組合せパターン情報」とは、組合せパターン情報のうち、「アイテム分類」のみに基づいて、その組合せがコーディネートとして許容されるか否かを示す情報を言う。すなわち、アイテム分類の組合せについて規定する情報である。
「カラー組合せパターン情報」とは、組合せパターン情報のうち、「カラー」のみに基づいて、その組合せがコーディネートとして許容されるか否かを示す情報を言う。すなわち、アイテムの色の組合せについて規定する情報である。
「襟組合せパターン情報」とは、組合せパターン情報のうち、「襟の形状」のみに基づいて、その組合せがコーディネートとして許容されるか否かを示す情報を言う。すなわち、アイテムの襟の組合せについて規定する情報である。
「袖組合せパターン情報」とは、組合せパターン情報のうち、「袖の形状」のみに基づいて、その組合せがコーディネートとして許容されるか否かを示す情報を言う。すなわち、アイテムの袖の組合せについて規定する情報である。
この特徴により、本発明のコーディネート提案システムは、服飾品の種類、カラー（色）、襟の形状及び袖の形状を考慮してコーディネートを提案することができる、
【０００９】
本発明のコーディネート提案システムは、
組合せパターン情報にカテゴリを含み、
コーディネート抽出手段は、シルエット組合せパターン情報、カラー組合せパターン情報、襟組合せパターン情報及び袖組合せパターン情報を含むすべての組合せパターン情報に基づいて許容され、かつ、同一のカテゴリを与えられるようなコーディネートのみを抽出することを特徴とすることができる。
この特徴により、本発明のコーディネート提案システムは、服飾品の種類、カラー（色）、襟の形状及び袖の形状のすべてについて、使用者層や印象を統一したコーディネートを提案することができる。
【００１０】
本発明のコーディネート提案システムは、
ユーザがアイテムをその属性によって限定するアイテム限定手段を有し、
コーディネート抽出手段は、限定されたアイテムを含むようなコーディネートのみを抽出することを特徴とすることができる。
また、本発明のコーディネート提案システムは、
ユーザが１または２以上のアイテムを選択するアイテム選択手段を有し、
コーディネート抽出手段は、選択されたアイテムの全てを含むようなコーディネートのみを抽出することを特徴とすることができる。
さらに、本発明のコーディネート提案システムは、
データベースに保持されたアイテムについて、ユーザが前記アイテム選択手段によってそのアイテムを選択した場合のコーディネートを抽出した結果をアイテム別コーディネートリストとして保持し、
コーディネート抽出手段は、前記アイテム別コーディネートリストを参照してコーディネートを抽出することを特徴とすることができる。
これらの特徴により、本発明のコーディネート提案システムは、ユーザが所持するアイテムまたは購入を決断したアイテムを活用した良いコーディネートを、短時間で提案することができる。
【００１１】
本発明のコーディネート提案システムは、
組合せパターン情報のうちの少なくとも１つに付加情報を含み、
ユーザが付加情報を指定する付加情報指定手段を有し、
コーディネート抽出手段は、いずれかの組合せパターン情報に基づいて与えられる付加情報の全てが前記付加情報指定手段によって指定された付加情報と整合するようなコーディネートのみを抽出することを特徴とすることができる。
本発明のコーディネート提案システムは、付加情報の入力を必ずしも必要としないことを利点とするが、この特徴により、付加情報が入力された場合にはそれに合わせたコーディネートを提案することができる。
【００１２】
本発明のコーディネート提案システムは、
コーディネート抽出手段によって抽出されたコーディネートをユーザに提示するコーディネート提示手段を有することを特徴とすることができ、前記コーディネート提示手段は、コーディネートに含まれる各アイテムの画像を画面に表示すること、あるいは、コーディネートに含まれる各アイテムの画像を合成してコーディネートに含まれる全アイテムを同時に着用した状態の画像を画面に表示することを特徴とすることができる。
また、本発明のコーディネート提案システムは、
組合せパターン情報のうちの少なくとも１つに優先度を含み、
コーディネート抽出手段は、各々の組合せパターン情報によって与えられる優先度に基づいて総合優先度を計算し、
前記コーディネート提示手段は、総合優先度の順にコーディネートを提示することを特徴とすることができる。
これらの特徴により、本発明のコーディネート提案システムは、コーディネートをユーザに視覚的に提示することができ、より良いコーディネートを優先して提示することができる。
【００１３】
本発明のコーディネート提案システムは、
データベース及び組合せパターン情報をサーバに備え、コーディネート提示手段は該サーバとインターネットを経由して接続されたクライアントの画面上にコーディネートを提示することを特徴とすることができる。
この特徴により、本発明のコーディネート提案システムを、インターネットショッピングに活用することができる。
【００１４】
本発明のコーディネート提案システムは、
アイテム情報にそのアイテムが店舗に在庫されているか否かを表す在庫情報を含み、
コーディネート抽出手段は、在庫のあるアイテムのみから構成されるようなコーディネートのみを抽出することを特徴とすることができる。
この特徴により、本発明のコーディネート提案システムは、店頭において顧客が購入でき、すぐに利用できるようなコーディネートを提案することができる。
【発明の効果】
【００１５】
本発明のコーディネート提案システムは、組合せパターン情報に基づいてアイテム情報からアイテムを選択してコーディネートを構成するため、顧客個人に依存する付加情報の入力及び専門家によるコーディネートの作成は必要とせず、顧客によるアイテムの選択を通じてコーディネートの選択が顧客のファッションセンスに依存することもないという効果がある。
【００１６】
これに加えて、さらに、本発明のコーディネート提案システムは、以下の効果を持ち得る。
服飾品の種類、カラー（色）、襟の形状、袖の形状、使用者層及び印象を考慮してコーディネートを提案することができる。
ユーザが所持するアイテムまたは購入を決断したアイテムを活用した良いコーディネートを、短時間で提案することができる。
付加情報が入力された場合にはそれに合わせたコーディネートを提案することができる。
コーディネートをユーザに視覚的に提示することができ、より良いコーディネートを優先して提示することができる。
インターネットショッピングに利用することができる。
店頭において顧客が購入でき、すぐに利用できるようなコーディネートを提案することができる。
【図面の簡単な説明】
【００１７】
【図１】図１はプログラム及びデータの構成を示す図である。（実施例１）
【図２】図２はアイテム情報の内容を示す図である。（実施例１）
【図３】図３はアイテム分類の内容を示す図である。（実施例１）
【図４】図４はシルエット組合せパターン情報の内容を示す図である。（実施例１）
【図５】図５はコンピュータの入力画面を示す図である。（実施例１）
【図６】図６はシルエットコーディネートを示す図である。（実施例１）
【図７】図７はコーディネートリストを示す図である。（実施例１）
【図８】図８は提示されるコーディネートを示す図である。（実施例１）
【図９】図９はプログラム及びデータの構成を示す図である。（実施例２）
【図１０】図１０は仮コーディネートリストの内容を示す図である。（実施例２）
【図１１】図１１はコーディネートリストの内容を示す図である。（実施例２）
【図１２】図１２はプログラム及びデータの構成を示す図である。（実施例３）
【発明を実施するための形態】
【００１８】
組合せパターン情報に基づいてアイテム情報からアイテムを選択してコーディネートを構成するという目的を、プログラムによって実現した。
【実施例１】
【００１９】
本実施例は、服飾販売店の店頭において、訪問客が自らに合ったコーディネートを探すものである。
店頭にパーソナルコンピュータが設置され、そのコンピュータには、本発明のコーディネート提案システムを動作させるプログラムがインストールされ、所要のデータが保持されている。図１は、そのプログラム及びデータの構成を示す図である。
【００２０】
（データの説明）
アイテム情報１がデータベースに保持されている。図２は、本実施例におけるアイテム情報の内容を示す図である。アイテム情報は、ジャケット、ブラウスなどの服飾品ごとに保持され、アイテム番号、ブランド、カテゴリ、アイテム小分類、カラー、襟及び袖についての情報、及び在庫数量を含む。ここで、アイテム小分類はジャケット、ブラウス、Ｔシャツ等のアイテムの分類であり、「ブラウス」のような単語でなく例えば「１０１０２」のようにコード化された情報である。ここで、「１０１０１」の先頭にある「１」はアウターであることを表す。次の「０１」は標準アウターであることを表し、最後の「０２」はジャケットであることを表す。検索の際には、例えば、アイテム分類が「１」で始まるものを検索することによってアイテム大分類がアウターであるアイテム全てを検索すること、アイテム分類が「１０１」で始まるものを検索することによってアイテム中分類が標準アウターであるアイテム全てを検索すること、あるいはアイテム分類が「１０１０２」であるものを検索することよってアイテム小分類がジャケットであるアイテム全てを検査することができる。図３は、本実施例におけるアイテム分類の内容を示す図である。
カラー、襟及び袖についても同様にコード化されている。
図２において、例えば、先頭にあるアイテム番号がＯ０１のアイテムは、Ｘ社が製造したジャケットで、グレー色で、襟はテーラードカラーであり、袖は長袖である。アイテム毎のかかる具体的詳細は本発明の理解に必ずしも必要ではないので、以下、コード化された後のデータに基づいて説明する。
【００２１】
組合せパターン情報２として、シルエット組合せパターン情報２１、カラー組合せパターン情報２２、襟組合せパターン情報２３及び袖組合せパターン情報２４がデータベースに保持されている。組合せパターン情報２は、優れたファッション性を持つようなアイテムの組合せごとに保持され、アイテムを指定する情報及びその他の情報からなる。ここで、アイテムを指定する情報は、シルエット組合せパターン情報及びカラー組合せパターン情報についてはアウターについての情報、トップスについての情報及びボトムスについての情報であり、襟組合せパターン情報及び袖組合せパターン情報についてはアウターについての情報及びトップスについての情報である。また、その他の情報は、適応年齢、適応背丈、適応体形及び優先度である。優先度は、ファッション性が高いような組合せほど大きな値をとる数値データである。
【００２２】
図４は、本実施例におけるシルエット組合せパターン情報２１の内容を示す図である。シルエット組合せパターン情報２１は、アイテムを指定する情報がアイテム分類を通じてアイテムを指定しているような組合せパターン情報である。指定されるアイテム分類は、アイテム大分類、アイテム中分類及びアイテム小分類のいずれでもよい。上述のとおり、アイテム情報におけるアイテム分類がコード化されており、アイテム大分類、アイテム中分類及びアイテム小分類のいずれによる検索も可能である。
【００２３】
カラー組合せパターン情報２２、襟組合せパターン情報２３及び袖組合せパターン情報２４も同様に、コード化されたアイテム分類に基づいて保持されている。なお、襟及び袖は、アウター及びトップスについての情報であり、ボトムスは襟及び袖の情報を持たない。したがって、襟組合せパターン情報及び袖組合せパターン情報に含まれるアイテムを指定する情報はアウターについての情報及びトップスについての情報であり、ボトムスについての情報は含まれない。
【００２４】
（訪問客による操作）
訪問客は、自らの年齢に合ったコーディネートを検索するため、コンピュータを操作する。
図５は、コンピュータの入力画面を示す図である。ここで、アイテム指定エリア３１はアイテム限定手段４１によるデータの入力、アイテム希望エリア３２はアイテム選択手段４２によるデータの入力、その他情報エリア３３は付加情報指定手段４３によるデータの入力を実現している。
訪問客は、その他情報エリア３３内のご年齢欄に「４２」と入力し、商品配送希望欄では「今店頭で受取」を選択し、他には何も入力せずに、コーディネート提案実行ボタン３４をクリックする。
【００２５】
（プログラムの動作）
ご年齢欄に入力されたデータ「４２」及び商品配送希望欄で選択された「今店頭で受取」は、付加情報指定手段４３によって、情報峻別手段４４に送られる。情報峻別手段４４は入力された情報を必要に応じてプログラムに適した情報に変換した上で、組合せ限定情報４５またはアイテム限定情報４６に分類するものである。
組合せ限定情報は、以下のものである。例えば、年齢を表す情報は、組合せパターン情報の適応年齢を限定することで、組合せパターンのうちで検索すべきものを限定する。このように、組合せパターンを限定する情報が組合せ限定情報である。
アイテム限定情報は、以下のものである。例えば、ブランドを指定する情報は、アイテムのブランドを限定することで、アイテムのうちで検索すべきものを限定する。このように、アイテムを限定する情報がアイテム限定情報である。
情報峻別手段４４は、「４２」を「適応年齢に４２歳を含む」を意味するデータに変換し、組合せ限定情報４５として出力する。情報峻別手段４４は、「今店頭で受取」を「在庫数量が１以上」を意味するデータに変換し、アイテム限定情報４６として出力する。
【００２６】
シルエットパターン抽出手段５１１は、組合せ限定情報４５を参照して、シルエット組合せパターン情報２１を検索し、検索すべきパターンであるシルエットパターン５２１を出力する。組合せ限定情報として「適応年齢に４２歳を含む」旨のデータがある。シルエットパターン抽出手段５１１は、この条件でシルエット組合せパターン情報２１を検索し、図４に示すシルエット組合せパターンのうち４番（４２歳に適合しない）を除いたものを、シルエットパターン５２１として出力する。
【００２７】
カラーパターン抽出手段５１２、襟パターン抽出手段５１３及び袖パターン抽出手段５１４も、同様に、カラーパターン５２２、襟パターン５２３及び袖パターン５２４を出力する。
【００２８】
シルエットコーディネート抽出手段５３１は、シルエットパターン５２１に含まれる組合せのそれぞれについて、その組合せで指定されるアイテム分類を検索条件として、アウター、トップス及びボトムスのそれぞれについてアイテム情報１を検索する。その後、シルエットコーディネート抽出手段５３１は、アイテム限定情報４６を参照して、アイテム限定情報４６に整合しないアイテムを削除する。
以下、図４のシルエット組合せパターン情報の１行目に示される組合せについて説明する。アウターのアイテムとして「１０１」が指定されており、図２に示すアイテム情報から、中分類が１０１であるアイテム、Ｏ０１、Ｏ０２及びＯ０３が検索される。アイテム限定情報４６として「在庫数量が１以上」であることが指定されており、在庫数量が０であるアイテムＯ０２が削除される。この結果、アウターとしてＯ０１及びＯ０３が抽出される。同様に、トップスとしてＴ０１及びＴ０２、ボトムスとしてＢ０１及びＢ０２が抽出される。
シルエットコーディネート抽出手段５３１は上記の処理の結果として抽出されたアウター、トップス及びボトムスのアイテムの集合の直積を求める。本実施例においては、２つのアウター、２つのトップス及び２つのボトムスが抽出され、合計で８（＝２×２×２）のコーディネート（アウター、トップス及びボトムスの組合せ）が得られる。これらの組合せは、図６の最初の８行に示されているものである。
シルエットコーディネート抽出手段５３１は、以上の処理をシルエットパターン５２１に含まれる組合せのすべてについて行い、結果として得られるコーディネートを、シルエットコーディネートとして出力する。図６は、本実施例におけるシルエットコーディネートを示す図である。
【００２９】
カラーコーディネート抽出手段５３２、襟コーディネート抽出手段５３３及び袖コーディネート抽出手段５３４も、同様にして、カラーコーディネート５４２、襟コーディネート５４３及び袖コーディネート５４４を抽出する。ここで、襟コーディネート及び袖コーディネートはボトムスの情報を含まない。
【００３０】
コーディネートリストアップ手段５５は、シルエットコーディネート５４１、カラーコーディネート５４２、襟コーディネート５４３及び袖コーディネート５４４に共通に含まれるコーディネート、すなわちこれら４つのコーディネートの積集合を求め、仮コーディネートリストとする。この際、襟コーディネート５４３及び袖コーディネート５４４はボトムスの情報を含まないが、任意のボトムスが許容されるものとして取り扱う。
コーディネートリストアップ手段５５は、仮コーディネートリストから、シルエットコーディネート、カラーコーディネート、襟コーディネート及び袖コーディネートが同一のカテゴリであるものに限定してコーディネートを抽出する。ここで、２以上のカテゴリを持つコーディネートについては、これらのカテゴリのうちの一つが他のコーディネートのカテゴリと同一であればよいものとする。
コーディネートリストアップ手段５５は、抽出されたそれぞれのコーディネートについて、その基となるシルエットコーディネート５４１、カラーコーディネート５４２、襟コーディネート５４３及び袖コーディネート５４４に優先度のデータがあれば、これらの優先度の値の和を、総合優先度とする。シルエットコーディネート５４１、カラーコーディネート５４２、襟コーディネート５４３及び袖コーディネート５４４のうちに優先度のデータがないものがあれば、その優先度の値を０として取扱う。
コーディネートリストアップ手段５５は、抽出されたコーディネートを、コーディネートリスト６として出力する。図７は、本実施例におけるコーディネートリストを示す図である。
図７を図６（シルエットコーディネート）と比較すると、カラーコーディネート、襟コーディネート及び袖コーディネートとの共通部分でありカテゴリが一致するとの条件により、図７のリストは図６のシルエットコーディネートの部分集合となっている。また、アイテムＯ０２は在庫がないので、アイテムＯ０２を含むコーディネートが削除されている。そして、総合優先度は、カラーコーディネート、襟コーディネート及び袖コーディネートの優先度を加えて、図６に示される優先度とは異なる値となっている。
【００３１】
提示手段７は、コーディネートリスト６に含まれるコーディネートを、総合優先度の高いものから順に、各アイテムの画像として表示する。図８は、提示されるコーディネートを示す図である。「次へ」のボタン７３をクリックすることにより、総合優先度順で次順位のコーディネートの画像が表示される。
【００３２】
（本実施例の効果）
本実施例によれば、シルエット、カラー、襟及び袖を考慮したコーディネートであって、訪問客の指定する条件に合うものを、ファッション性の高い順に、視覚的に提示することができる。これにより、店頭において訪問客にコーディネートを有効に提案することができる。
本実施例によれば、店頭に在庫のあるアイテムのみから構成されるコーディネートが提案される。訪問客は、気に入ったコーディネートをその場で購入することができる。
本実施例では、シルエット、カラー、襟及び袖を考慮してコーディネートを抽出しているので、これらの要件に合わないようなコーディネートを提示してしまうことを防止できる。また、シルエット、カラー、襟及び袖をアイテム情報によって判断しているので、アイテムの変更があっても、コーディネートの情報を変更する必要はなく、アイテム情報を更新することのみによって、コーディネート提案システムがファッション性に優れたコーディネートを自動的に抽出する。
【実施例２】
【００３３】
本実施例は、実施例１と同様に、服飾販売店の店頭において訪問客が自らにあったコーディネートを探すものである。本実施例では、アイテム指定コーディネート情報５６を利用することで、処理を高速化している。図９は、本実施例におけるプログラム及びデータの構成を示す図である。以下、実施例１と異なる部分を中心に説明する。
【００３４】
組合せパターン情報２に替えて、アイテム指定コーディネート情報５６が設けられている。
シルエットパターン抽出手段等及びシルエットコーディネート抽出手段等に替えて、コーディネート情報獲得手段５７１が設けられている。
情報峻別手段の出力として、被選択アイテム情報４７が設けられ、被選択アイテム情報４７はコーディネート情報獲得手段５７１に入力されている。
アイテム情報１、組合せ限定情報４５及びアイテム限定情報４６は、コーディネートリストアップ手段５５に入力されている。
【００３５】
アイテム指定コーディネート情報５６は、実施例１のコーディネート提案システムにおいて、訪問客が１つのアイテムを指定して他の指定を行わなかった場合に得られるであろうコーディネートリスト６を、すべてのアイテムの指定に対応して、アイテムをキーとして検索できるように、データベースに保持したものである。プログラムの使用に先立って、アイテム情報１及び組合せパターン情報２を参照して、コーディネート事前抽出手段５８によりコーディネートリストを抽出しておく。コーディネート事前抽出手段５８は、実施例１におけるコーディネート抽出手段５と同様の作用をする。
アイテム情報に増減がない限り、訪問客が１つのアイテムを指定して他の指定を行わなかった場合に得られるであろうコーディネートは変動しない。したがって、新規商品の追加等、アイテム情報に増減がある場合にのみコーディネート事前抽出を行えばよい。
【００３６】
（訪問客による操作）
訪問客は、店頭で気に入ったジャケットを発見した。同じブランドＸの、そのジャケットに合うようなコーディネートを検索するため、コンピュータを操作する。
図５に示されるコンピュータの入力画面において、訪問客は、アイテム指定エリアに気に入ったジャケットのアイテム番号（Ｏ０１）を入力し、アイテム希望エリアのブランド欄に希望するブランドのブランド名（Ｘ）を入力し、その他情報エリア３３内の年齢欄に「４２」と入力し、商品配送希望欄では「今店頭で受取」を選択し、コーディネート提案実行ボタン３４をクリックする。
【００３７】
（プログラムの動作）
アイテム指定エリアに入力されたアイテム番号はアイテム限定手段４１によって、年齢欄に入力されたデータ「４２」は付加情報指定手段４３によって、情報峻別手段４４に送られる。
情報峻別手段４４は、アイテム番号を被選択アイテム情報４７として出力する。本実施例においては、情報峻別手段４４がアイテム限定手段から送られるアイテム番号を被選択アイテム情報として出力する点で、実施例１と異なる。
情報峻別手段４４は、「４２」を「適応年齢に４２歳を含む」を意味するデータに変換して組合せ限定情報として、ブランド名を適宜コード化し、「今店頭で受取」を「在庫数量が１以上」を意味するデータに変換してアイテム限定情報として、出力する。
【００３８】
コーディネート情報獲得手段５７１は、被選択アイテム情報４７としてのアイテム番号をキーとして、アイテム指定コーディネート情報５６を検索し、仮コーディネートリスト５７２を得る。図１０は、本実施例における仮コーディネートリストの内容を示す図である。
図１０において、アウターは、被選択アイテム情報４７に対応したＯ０１のみとなっている。また、実施例１においては組合せ限定情報に基づいて削除されていた図４のシルエットパターンの４番に基づく組合せが含まれている。
【００３９】
コーディネートリストアップ手段５５は、仮コーディネートリスト５７２から、組合せ限定情報４５及びアイテム限定情報４６と整合しないコーディネートを削除する。この削除処理は、仮コーディネートリスト５７２に含まれる付加情報に基づいて行われ、必要に応じてアイテム情報を参照する。本実施例では、適応年齢として４２歳を含まないコーディネートを削除する。また、アイテム情報を参照することにより、アイテムのブランド名を求めて他のブランド名のアイテムを含むコーディネートを削除し、「在庫数量が１以上」のアイテムであるか否かを決定して在庫数量が０のアイテムを含むコーディネートを削除する。図１１は、本実施例におけるコーディネートリストの内容を示す図である。図１１を図１０と比較すると、図１０において２番のコーディネートがアイテムＢ０２のブランドがＸではないために削除され、３番及び４番のコーディネートは適応年齢として４２歳を含まないために削除されている。
【００４０】
提示手段の動作等、上述しない部分のプログラムの動作は実施例１と同様である。
【００４１】
（本実施例の効果）
本実施例によれば、実施例１に示した効果を得ることができ、合わせて、１つのアイテムが指定された場合のコーディネートの提示を高速に行うことができるので、提示を受けるまでの訪問客の待ち時間を短縮することができる。
【実施例３】
【００４２】
本実施例は、インターネットショッピングにおいてコーディネート提案システムを活用するものである。プログラムの動作は実施例１または実施例２と同様である。プログラムの中核であるコーディネート抽出手段をサーバで動作させつつ、ユーザインタフェースの部分をクライアントで動作させることにより、インターネットショッピングにおける活用を可能としている。図１２は、本実施例におけるプログラム及びデータの構成を示す図である。
【００４３】
インターネットサーバには、アイテム情報１が保持され、また、組合せパターン情報２及びアイテム指定コーディネート情報５６の少なくとも一方が保持されている。インターネットサーバでは、情報峻別手段４４及びコーディネート抽出手段５が動作している。情報峻別手段４４及びコーディネート抽出手段５の動作は、実施例１または実施例２と同様である。また、インターネットサーバでは、画像提示手段７１が動作している。
インターネットクライアントでは、アイテム限定手段４１、アイテム選択手段４２、付加情報指定手段４３及び画像表示手段７２が動作している。画像表示手段７２は、画像提示手段７１から送信された画像をクライアントの画面に表示する手段であり、画像提示手段７１及び画像表示手段７２を合わせて、実施例１または実施例２における提示手段７に相当する。
【００４４】
（ユーザによる操作及びサーバの動作）
ユーザは、インターネットを用いて、コーディネート提案システムのホームページにアクセスする。ユーザが使用するインターネットクライアントの画面には、図５と同様の入力画面が表示される。ユーザは、自己の要望に対応した入力を行い、コーディネート提案実行ボタン３４をクリックする。
ユーザによる入力は、インターネットを通じてインターネットサーバの情報峻別手段４４に送信される。インターネットサーバでは、実施例１または実施例２と同様にして、コーディネートリスト６が作成される。
画像提示手段７１は、優先度の高いコーディネートについての画像を生成し、それをインターネットのホームページの一部に挿入して、画像表示手段７２に送信する。画像表示手段７２は、送信された画像を表示する。
なお、アイテム限定手段４１、アイテム選択手段４２、付加情報指定手段４３及び画像表示手段７２は、通常使われているインターネットブラウザの機能を用いてもよい。
【００４５】
（本実施例の効果）
本実施例によれば、コーディネート提案システムをインターネットのホームページとして提供することができ、来店しない顧客を含めた数多くのユーザを獲得することができる。
【００４６】
（実施例の拡張）
本発明の実施形態は上記実施例に限定されるものではなく、上記実施例を拡張した他の実施形態も可能である。以下に、かかる拡張の例を示す。
実施例に示された処理手順及びデータ構造は、上記に限定されるものではない。他の処理手順及びデータ構造を用いて実施例と同等の結果を得るようにしてもよい。
実施例１及び実施例２において、図８に示されるように提示手段はコーディネートに含まれるアイテムの画像をアイテム毎に表示しているが、アイテム毎に表示せず、アイテムの画像と人体の画像を合成してコーディネートを着用したイメージとしてもよい。また、画像を表示せずに、コーディネートに含まれるアイテムのリストをテキストとして表示したり、ファイルに出力したりしてもよい。
実施例１において、図５に示される情報をユーザに入力させているが、この他の情報を入力させてもよい。この場合、組合せまたはアイテムの検索条件を構成するような任意の情報を入力させ、その情報に合わせて検索するように、情報峻別手段４４及びコーディネート抽出手段５の処理を構成する。
実施例１と実施例２とではシステムの構成が異なっているが、これらのシステムを併用するようにしてもよい。具体的には、アイテム限定手段４１からアイテム番号が入力された場合には実施例２に示された処理を実行し、その他の場合には実施例１に示された処理を実行するようなプログラムが作成可能である。
実施例２において、訪問客が操作しているが、訪問客の要望とは独立に店舗側で操作してもよい。例えば、店舗が拡販を望むアイテム、キャンペーンを行うアイテム、過剰在庫を抱えたアイテムを指定し、コーディネートリストをファイルとして出力してもよい。店舗は、そのファイルを参照してファッショナブルなコーディネートを構成する他のアイテムを発見し、そのアイテムを合わせて展示することによって全体の販売を促進することができる。ここで、店舗は、小売であっても卸売であってもよい。
【産業上の利用可能性】
【００４７】
アイテムの情報に基づいてコーディネートを提案でき、服飾販売店の店頭、インターネットショッピング、服飾品卸業者のアイテム選定において有用に活用できる。
【符号の説明】
【００４８】
１    アイテム情報
２    組合せパターン情報
３１  アイテム指定エリア
４１  アイテム限定手段
５    コーディネート抽出手段
６    コーディネートリスト
７    提示手段
【図１】
2010182051.tif 000003
【図２】
2010182051.tif 000004
【図３】
2010182051.tif 000005
【図４】
2010182051.tif 000006
【図５】
2010182051.tif 000007
【図６】
2010182051.tif 000008
【図７】
2010182051.tif 000009
【図８】
2010182051.tif 000010
【図９】
2010182051.tif 000011
【図１０】
2010182051.tif 000012
【図１１】
2010182051.tif 000013
【図１２】
2010182051.tif 000014